(57)【要約】  本発明は、カラー表示に対応し、また簡単な構成でクロストークノイズを低減することが出来る液晶表示装置の抑制方法を提供することを目的とする。  ３枚の単純マトリックスの液晶表示パネル（１８ａ）（１８ｂ）（１８ｃ）と、当該３枚の液晶表示パネルそれぞれと対応づけて設けられ、当該液晶表示パネルに駆動電圧を印加する複数のドライバ部（１９ａ，２０ａ）（１９ｂ，２０ｂ）（１９ｃ，２０ｃ）を備える液晶表示装置の抑制方法において、  前記ドライバ部が前記液晶表示パネルに印加する駆動電圧を交流化するためのパルス極性制御信号（ＦＲ）をインバータ（２２）により反転して、ブルー（Ｂ）の液晶表示パネル（１８ｃ）に対応する前記ドライバ部（１９ｃ，２０ｃ）に入力する。
2011064818.tif 000002
【特許請求の範囲】
【請求項１】
複数の単純マトリックスの液晶表示パネルと、
複数の前記液晶表示パネルそれぞれと対応づけて設けられ、当該液晶表示パネルに駆動電圧を印加する複数のドライバ部と、
前記ドライバ部が前記液晶表示パネルに印加する駆動電圧を交流化するためのパルス極性制御信号（ＦＲ）を出力する制御部と、
前記制御部が出力した前記パルス極性制御信号（ＦＲ）を反転して前記複数の液晶表示パネルの少なくとも１つに対応する前記ドライバ部に入力するインバータ部と、
を備えることを特徴とする液晶表示装置。
【請求項２】
前記インバータ部は、
前記制御部が出力した前記パルス極性制御信号（ＦＲ）を反転したパルス極性制御信号（ＦＲ）を入力しなかった前記液晶表示パネルに対応する前記ドライバ部には当該パルス極性制御信号（ＦＲ）を反転せずに入力することを特徴とする請求項１に記載の液晶表示装置。
【請求項３】
前記インバータ部によって、前記パルス極性制御信号（ＦＲ）が反転されて入力された前記ドライバ部に対応する前記液晶表示パネルは、当該液晶表示パネルの静電容量に基づいて選択されていることを特徴とする請求項１に記載の液晶表示装置。
【請求項４】
前記複数の液晶表示パネルは、レッド、グリーン及びブルーのコレステリック液晶表示パネルであることを特徴とする請求項１に記載の液晶表示装置。
【請求項５】
前記インバータ部は、前記レッド、グリーン及びブルーの液晶表示パネルのうち、最も静電容量の大きな液晶表示パネルに対応する前記ドライバ部に対して前記反転したパルス極性制御信号（ＦＲ）を入力することを特徴とする請求項４に記載の液晶表示装置。
【請求項６】
前記インバータ部は、前記ブルーの液晶表示パネルに対応する前記ドライバ部に対して前記反転したパルス極性制御信号（ＦＲ）を入力し、前記レッドの液晶表示パネル及び前記グリーンの液晶表示パネルに対応する前記ドライバ部に対して前記パルス極性制御信号（ＦＲ）を反転せずに入力することを特徴とする請求項５に記載の液晶表示装置。
【請求項７】
複数の単純マトリックスの液晶表示パネルと、当該複数の液晶表示パネルそれぞれと対応づけて設けられ、当該液晶表示パネルに駆動電圧を印加する複数のドライバ部を備える液晶表示装置の制御方法において、
前記ドライバ部が前記液晶表示パネルに印加する駆動電圧を交流化するためのパルス極性制御信号（ＦＲ）を反転して前記複数の液晶表示パネルの少なくとも１つに対応する前記ドライバ部に入力する
ことを特徴とする液晶表示装置の制御方法。
【発明の詳細な説明】
【技術分野】
【０００１】
本発明は、単純マトリックスの液晶表示装置に関し、更に詳しくは液晶パネルの駆動電圧のドライブの仕方に関する。
に関する。
【背景技術】
【０００２】
液晶表示パネル方式の一つとして、単純マトリックス方式が知られている。
単純マトリックス方式による液晶表示パネルは、製造工程が比較的簡単で製造コストも安いことから簡易表示器から中級表示器まで広く使われている。またコレステリック液晶を用いた単純マトリックスの液晶表示パネルを電子ペーパに用いることによって、超低消費電力で、且つ薄くて軽いものを安価に実現できると期待されている。また電子ペーパでは、複数の液晶表示パネルを重ねてカラー表示を行うことが研究されている。【０００３】
一般的に、１つの機器で複数の液晶表示パネルを備えている場合、その動作にはデータ信号を除く全ての信号及び選択電圧や非選択電圧など駆動する為に必要な数種類の電圧を単一電源から供給する構成とする。このような構成とすることによって、制御信号の数を減らし、制御回路の規模も小さくまとめることができる。【０００４】
しかし、液晶表示パネルに加える信号をすべて同一タイミングで動作するようにすると、必要とする電圧が偏った場合には複数の表示パネルの電流が同時に必要となる。例えば非選択信号は、選択されている１本のライン以外全て同一電圧となる。そしてこのようなとき、電源電圧の電圧降下が増大し、電源電圧が不安定となってしまう。【０００５】
電源電圧が不安定になると電位差が大きくなり、チラツキ（意図しない画素に電圧が印加され、液晶が動作してしまう）が発生し、意図しない箇所を表示したり、液晶表示画面全体が暗くなってしまういわゆるクロストークが発生してしまうという問題がある。
このクロストークの発生に対処方法としては、以下の特許文献１乃至７の方法が提案されている。【０００６】
特許文献１には、単純マトリックスパネルに対するクロストーク電圧に起因するコントラスト低下を解消することができる情報表示装置の駆動方法についてのものである。この特許文献１では、情報表示装置が１回の画素書換えに際し複数回パルスを印加するとともに、１回の画素書換えの間に、非書換え画素に印加される電圧の極性が変化しないように駆動波形を調整している。【０００７】
特許文献２には、回路部品の増加を最小限に抑えて、クロストークの低減を行う液晶表示装置が開示されている。この特許文献２の液晶表示装置では、液晶のドライブ電圧に補正電圧を加えることによって、クロストークの低減を図っている。【０００８】
特許文献３には、液晶層に対する電荷充放電時に発生する波形歪みによって生じるクロストークの増加を低減する液晶表示装置が開示されていり。この特許文献３の液晶表示装置では、印加電圧に補正電圧パルスを加えて補正し、またこの補正電圧パルスの印加時間を各走査電極毎に調整している。【０００９】
特許文献４には、小型化を達成しながらも、より簡単に液晶パネルへの印加電圧のひずみによって生じるクロストークを解消する高品質かつ小型の液晶表示装置が開示されている。この特許文献４の液晶表示装置では、液晶パネルへの印加電圧を選択レベルから非選択レベルへ変える際に、所定の時間双方のレベルのほぼ中間電位にし、この所定の時間内では走査側印加電圧を非選択レベルにしている。【００１０】
特許文献５には、セグメントドライバの出力変化によってコモンドライバの非選択電圧に生じる、クロストークノイズによる実効電圧の増加を補正する液晶表示装置が開示されている。この特許文献５の液晶表示装置では、白あるいは黒の背景表示を行っている際にセグメントドライバの出力信号の変化点でセグメントドライバ出力信号の立ち上がり及び立下がりノイズを各々コモンドライバ出力波形へ伝播するクロストークノイズ量として検出する。そしてこのクロストークノイズ量をドライバ出力の補正パルス信号としてドライバに出力し、ドライバ側では背景データと同一データを出力するか否かを判断し、背景と同一でないデータを出力する場合、この補正パルス信号の幅分、出力電圧を出力せずに任意の電圧を出力している。【００１１】
特許文献６には、クロストークを低減させることを目的とした液晶表示装置についてのものである。この特許文献６の液晶表示装置は、特許文献３と同様印加電圧にパルスを与え、そのパルスを加える時間を調節することによってひずみに対処している。【００１２】
特許文献７には、補正電圧でクロストークを相殺して高品質の表示を行う液晶表示装置についてのものである。この特許文献７では、１つ前の走査線に供給される点灯信号の数に対して現在選択される走査線に供給される点灯信号が少ないときには走査線非選択バイアス電圧を小さくし、多ければ走査線非選択バイアス電圧を高くし、両者が同じならそのままのバイアス電圧を維持するよう電圧調整することが開示されている。【００１３】
これら特許文献１乃至７の液晶表示装置は、いずれもクロストークの改善を目的としたものであるが、いずれも何らかの方法で、ドライバによる印加電圧に補正電圧を加えることによって、クロストークの低減を図っている。したがって、補正電圧を生成する構成を必要とし、構成が複雑となり装置の規模が大きなものとなってしまう。また複数の液晶表示パネルを組み合わせて、カラー表示を行うものについては考慮されていない。
【先行技術文献】
【特許文献】
【００１４】
【特許文献１】特開２００５−３３１９３６号公報
【特許文献２】特開平１１−００２７９６号公報
【特許文献３】特開平１０−２５４４１６号公報
【特許文献４】特開平１０−２３９６６６号公報
【特許文献５】特開平１０−０２０２７５号公報
【特許文献６】特開平６−０５１２７１号公報
【特許文献７】特開平５−２１０３６７号公報
【発明の開示】
【００１５】
本発明は、カラー表示に対応し、また簡単な構成でクロストークノイズを低減することが出来る液晶表示装置、及び制御方法を提供することを目的とする。
本液晶表示装置は、複数の単純マトリックスの液晶表示パネルと、複数の前記液晶表示パネルそれぞれと対応づけて設けられ、当該液晶表示パネルに駆動電圧を印加する複数のドライバ部と、前記ドライバ部が前記液晶表示パネルに印加する駆動電圧を交流化するためのパルス極性制御信号（ＦＲ）を出力する制御部と、前記制御部が出力した前記パルス極性制御信号（ＦＲ）を反転して前記複数の液晶表示パネルの少なくとも１つに対応する前記ドライバ部に入力し、前記反転したパルス極性制御信号（ＦＲ）を入力しなかった前記液晶表示パネルに対応する前記ドライバ部に当該パルス極性制御信号（ＦＲ）を反転せずに入力するインバータ部と、を備えることを特徴とする。
【００１６】
本液晶表示装置の制御方法は、複数の単純マトリックスの液晶表示パネルと、当該複数の液晶表示パネルそれぞれと対応づけて設けられ、当該液晶表示パネルに駆動電圧を印加する複数のドライバ部を備える液晶表示装置の制御方法において、前記ドライバ部が前記液晶表示パネルに印加する駆動電圧を交流化するためのパルス極性制御信号（ＦＲ）を反転して前記複数の液晶表示パネルの少なくとも１つに対応する前記ドライバ部に入力し、前記反転したパルス極性制御信号（ＦＲ）を入力しなかった前記液晶表示パネルに対応する前記ドライバ部に当該パルス極性制御信号（ＦＲ）を反転せずに入力することを特徴とする。
【図面の簡単な説明】
【００１７】
【図１】本実施形態における液晶表示装置の構成例を示す図である。
【図２Ａ】液晶表示パネルにおいて、選択されているラインと非選択のラインを示す図（その１）である。
【図２Ｂ】液晶表示パネルにおいて、選択されているラインと非選択のラインを示す図（その２）である。
【図３】本実施形態の液晶表示パネルに加わる信号例を示す図である。
【図４】（１）〜（４）のケースにおけるセグメント（ＳＥＧ）側とコモン（ＣＯＭ）側の電圧レベルを示す図である。
【図５】レッド（Ｒ）、グリーン（Ｇ）及びブルーの３つの液晶表示パネルを同期させて表示を行った場合の（３）及び（４）のケースの電圧降下や上昇を示す図である。
【発明を実施するための形態】
【００１８】
以下、本発明の一実施形態を図面を参照しながら詳細に説明する。
本実施形態の液晶表示装置は、レッド（Ｒ）、グリーン（Ｇ）及びブルー（Ｂ）の３色のコレステリック液晶を用いた単純マトリックスの液晶表示パネルを重ねてカラー表示を行うように構成されている。なお本実施形態の液晶表示装置は、３色の液晶表示パネルを組み合わせたものに限定されるものではなく、２枚の液晶表示パネルを組み合わせたものであっても、４枚以上の液晶表示パネルを組み合わせたものであっても良い。また液晶表示パネルの色もレッド（Ｒ）、グリーン（Ｇ）及びブルー（Ｂ）に限定されるものではなく、他の色の液晶表示パネルを用いたものであっても良い。
【００１９】
図１に本実施形態における液晶表示装置の構成例を示す。
本実施形態の液晶表示装置１は、レッド（Ｒ）、グリーン（Ｇ）及びブルーの３枚の単純マトリックスの液晶表示パネル１８ａ、１８ｂ及び１８ｃを各液晶表示パネルの電極の位置が一致する様に重ねる形で備え、外部から入力される画像データ１６に基づいてカラー表示を行うものである。
【００２０】
また本実施形態の液晶表示装置１は、電源部１１、昇圧部１２、電圧安定部１３、電圧切替部１４、源振クロック部１５、制御回路１７、及びインバータ２１及び２２を備えている。
【００２１】
電源部１１は、液晶表示装置１に対する電力を供給するものである。昇圧部１２は、電源部１１の出力電圧を、液晶表示パネル１８ａ、１８ｂ及び１８ｃを駆動するのに必要な電圧値まで上げるものである。電圧安定部１３は、昇圧部１２からの出力電圧を用いて、各コモンドライバ１９ａ乃至１９ｃ及びセグメントドライバ２０ａ乃至２０ｃに供給する電圧値Ｖ０、Ｖ１、Ｖ２、Ｖ３及びＶ４を生成し、各コモンドライバ１９ａ乃至１９ｃ及びセグメントドライバ２０ａ乃至２０ｃに出力する。この電圧値Ｖ０乃至Ｖ４は、例えばＶ０は０Ｖ、Ｖ１は＋５Ｖ、Ｖ２は＋１０Ｖ、Ｖ３は＋１５Ｖ、Ｖ４は＋２０Ｖである。電圧切替部１４は、電圧安定部１３が電圧値Ｖ０乃至Ｖ４を生成する際に必要とする補正値を生成して電圧安定部１３に出力するものである。源振クロック部１５は、液晶表示装置１を駆動するクロック信号を出力するものである。制御回路１７は、液晶表示装置１全体の表示制御を司るもので、源振クロック部１５からのクロック信号と、外部から入力された画像データ１６から、各コモンドライバ１９ａ乃至１９ｃ及びセグメントドライバ２０ａ乃至２０ｃにデータ信号及び制御信号を出力する。
【００２２】
図１では、制御回路１７が出力する制御信号として、ＳＥＧ／ＣＯＭ切替信号（Ｓ／Ｃ）、データ取り込みクロック（ＸＣＬＫ）、フレーム開始信号（ＥＩＯ）、パルス極性制御信号（ＦＲ）、データラッチ信号（ＬＰ）、ドライバ出力オフ信号（ＤＳＰＯＦＦ）、及び画像データ信号（ＯＵＴ）がある。ＳＥＧ／ＣＯＭ切替信号（Ｓ／Ｃ）は、コモンドライバ１９による信号の印加とセグメントドライバ２０による信号の印加を切り替えるものである。データ取り込みクロック（ＸＣＬＫ）は、各液晶表示パネル１８ａ乃至１８ｃに印加される信号を取るためのクロック信号である。フレーム開始信号（ＥＩＯ）は、各コモンドライバ１９ａ乃至１９ｃとセグメントドライバ２０ａ乃至２０ｃがそれぞれ複数のドライバから構成されているときそれら複数のドライバデバイスで構成されているときに各ドライバデバイスの動作順序を制御するために用いられる信号である。このフレーム開始信号（ＥＩＯ）は、各コモンドライバ１９ａ乃至１９ｃとセグメントドライバ２０ａ乃至２０ｃがそれぞれ１つのドライバデバイスによって構成される場合には必要ない。パルス極性制御信号（ＦＲ）は、各液晶表示パネル１８ａ乃至１８ｃに印加する信号を反転して交流化するための信号である。このパルス極性制御信号（ＦＲ）についての詳細は後述する。データラッチ信号（ＬＰ）は、１ライン分のデータを出力するタイミングを決定するトリガとなる信号である。ドライバ出力オフ信号（ＤＳＰＯＦＦ）は、コモンドライバ１９ａ乃至１９ｃとセグメントドライバ２０ａ乃至２０ｃの出力のＯＮ／ＯＦＦを切替える信号である。画像データ信号（ＯＵＴ）は、液晶表示パネル１８の各画素のＯＮ／ＯＦＦを指示するデータ４ｂｉｔのデータである。この画像データ信号（ＯＵＴ）は、レッド（Ｒ）、グリーン（Ｇ）及びブルー（Ｂ）で個別の値となる。
【００２３】
これらの信号のうち、ＳＥＧ／ＣＯＭ切替信号は、コモンドライバ１９ａ乃至１９ｃにはそのまま入力され、セグメントドライバ２０ａ乃至２０ｃにはインバータ２１を介して反転されて入力される。
【００２４】
またパルス極性制御信号（ＦＲ）は、ブルー（Ｂ）とレッド（Ｒ）のコモンドライバ１９ａと１９ｃ及びセグメントドライバ２０ａと２０ｃにはそのまま入力され、３つの液晶表示パネル１８ａ乃至１８ｃのうち最も静電容量が大きなブルー（Ｂ）の液晶表示パネル１８ｃのコモンドライバ１９ｂ及びセグメントドライバ２０ｂへは、インバータ２２を介して反転入力されている。この点については後述する。
【００２５】
単純マトリックスの液晶表示パネル１８では、コモン（ＣＯＭ）側で順に１ラインずつ表示ラインを選択して、その選択したラインの各ピクセルのＯＮ（Ｈ）／ＯＦＦ（Ｌ）を示す電圧をセグメント側（ＳＥＧ側）から印加することによって、表示が行われる。よってコモン（ＣＯＭ）側のコモンドライバ１９では、選択（Ｈｉｇｈ）しているラインより非選択（Ｌｏｗ）のラインの割合が多く、液晶表示パネル１８は殆どが非選択エリアでとなる。
【００２６】
図２Ａおよび図２Ｂにその状態を示す。図２Ａおよび図２Ｂは７６８×１０２４のＸＧＡの大きさの単純マトリックスの液晶表示画面例を示している。
図２Ａにおいて、コモン（ＣＯＭ）側の選択は、７６８ライン中の１ラインを選択し、他の７６７ラインは非選択となる。また画面全体でも選択されている１ラインを除いて全て非選択となる。
【００２７】
したがって図２Ａに示すように、コモン（ＣＯＭ）側の選択された１ラインは、図２Ｂの（１）（ＳＥＧデータがＨのとき）若しくは（２）（ＳＥＧデータがＬのとき）となり、選択されていない残りの７６７ラインは（３）（ＳＥＧデータがＨのとき）若しくは（４）（ＳＥＧデータがＬのとき）となる。
【００２８】
図３は、本実施形態の液晶表示パネルに加わる信号例を示す図である。
同図において、液晶表示パネル１８に加わる信号としてデータ取り込みクロック（ＸＣＬＫ）、データラッチ信号（ＬＰ）、パルス極性制御信号（ＦＲ）、ドライバ出力オフ信号（ＤＳＰＯＦＦ）、及び画像データ信号（ＯＵＴ）が示されている。
【００２９】
図３から分かるように、パルス極性制御信号（ＦＲ）をトリガとしてＯＵＴ信号は変化する。したがって、パルス極性制御信号（ＦＲ）が変化するときに、図２に示すようにセグメント（ＳＥＧ）側の電圧はほとんど非選択値の電圧となる。
【００３０】
図４に図２Ｂに示した（１）〜（４）のケースにおけるセグメント（ＳＥＧ）側とコモン（ＣＯＭ）側の電圧レベルを示す。
図４において、（１）はセグメント（ＳＥＧ）側及びコモン（ＣＯＭ）側の両方が“Ｈ”のとき、（２）はセグメント（ＳＥＧ）側が“Ｌ”でコモン（ＣＯＭ）側が“Ｈ”のとき、（３）はセグメント（ＳＥＧ）側が“Ｈ”でコモン（ＣＯＭ）側が“Ｌ”のとき、（４）はセグメント（ＳＥＧ）側及びコモン（ＣＯＭ）側の両方が“Ｌ”のときのセグメント（ＳＥＧ）側の電圧（ＳＥＧ電圧）及びコモン（ＣＯＭ）側の電圧（ＣＯＭ電圧）を示している。なお、点線波形がＣＯＭ側の電圧波形であり、二点鎖線がＳＥＧ側の電圧波形を示している。
【００３１】
液晶表示パネル１８では、液晶を構成する素子が破壊されて特性が劣化するのを防ぐため、同電圧の印加電圧を交流にしている。そして印加電圧の反転をパルス極性制御信号（ＦＲ）をトリガにして行っている。
【００３２】
図４の（１）のＣＯＭデータ＝“Ｈ”、ＳＥＧデータ＝“Ｈ”のときは、パルス極性制御信号（ＦＲ）が“Ｈ”の期間は、ＳＥＧ電圧はＶ４でＣＯＭ電圧はＶ０となっている。そしてパルス極性制御信号（ＦＲ）が“Ｌ”の期間は、ＳＥＧ電圧はＶ０に変化し、またＣＯＭ電圧もＶ４に変化している。
【００３３】
また同図（２）のＣＯＭデータ＝“Ｈ”、ＳＥＧデータ＝“Ｌ”のときは、パルス極性制御信号（ＦＲ）が“Ｈ”の期間は、ＳＥＧ電圧はＶ２でＣＯＭ電圧はＶ０となっている。そしてパルス極性制御信号（ＦＲ）が“Ｌ”の期間は、ＳＥＧ電圧はＶ２のまま変化しないが、ＣＯＭ電圧はＶ４に変化する。
【００３４】
また同図（３）のＣＯＭデータ＝“Ｌ”、ＳＥＧデータ＝“Ｈ”のときは、パルス極性制御信号（ＦＲ）が“Ｈ”の期間は、ＳＥＧ電圧はＶ４でＣＯＭ電圧はＶ３となっている。そしてパルス極性制御信号（ＦＲ）が“Ｌ”の期間は、ＳＥＧ電圧はＶ０に変化し、またＣＯＭ電圧もＶ１に変化している。
【００３５】
また同図（４）のＣＯＭデータ＝“Ｌ”、ＳＥＧデータ＝“Ｌ”のときは、パルス極性制御信号（ＦＲ）が“Ｈ”の期間は、ＳＥＧ電圧はＶ２でＣＯＭ電圧はＶ３となっている。そしてパルス極性制御信号（ＦＲ）が“Ｌ”の期間は、ＳＥＧ電圧はＶ２のままで、ＣＯＭ電圧はＶ１に変化している。
【００３６】
図２に示したように、コモン（ＣＯＭ）側では非選択となるラインがほとんどなので、ＳＥＧ電圧及びＣＯＭ電圧は、図２の（３）若しくは（４）のようになる。例えば白い背景に黒い文字が書かれた画像を描画する場合、セグメントデータはその殆どが白データ（Ｌデータ）のため、（４）のパターンとなる。よってコモン（ＣＯＭ）側では、７６７×３＝２３０１本の信号線においてＶ３（（３）のパターンの場合はＶ１）の電圧値を印加することになる。
【００３７】
液晶表示パネル１８は、電気的にはコンデンサとして機能するので、このように多量の信号線を１つの電圧値に設定すると、その電源電圧に電圧降下が生じる。
よって図２の下段に示すように、パルス極性制御信号（ＦＲ）の立ち上がりエッジでは、ＣＯＭ電圧としてＶ３が多数の信号線で選択されるので、Ｖ３の電位が大きく降下し、少数選択されるＶ１及びＶ４は少し電位が降下し、選択されないＶ０及びＶ１は変化がない。またパルス極性制御信号（ＦＲ）の立ち下がりエッジでは、ＣＯＭ電圧としてＶ１が多数の信号線で選択されるので、Ｖ１の電位が大きく降下し、少数選択されるＶ２は少し電位が降下し、選択されないＶ０、Ｖ３及びＶ４は変化がない。
【００３８】
したがってパルス極性制御信号（ＦＲ）の立ち上がりエッジの部分ではＶ２とＶ４の電位差が小さくなり、逆にＶ３とＶ４の電位差が大きくなる。同様にパルス極性制御信号（ＦＲ）の立ち下がりエッジの部分では、Ｖ０とＶ１の電位差が小さくなり、逆にＶ１とＶ２の電位差が大きくなる。
【００３９】
図５に特にレッド（Ｒ）、グリーン（Ｇ）及びブルーの３つの液晶表示パネル１８ａ１８ｂ、及び１８ｃを同期させて表示を行った場合の（３）及び（４）のケースの電圧降下や上昇を示す。
【００４０】
図５に示すように（３）のケース及び（４）のケースともＣＯＭ電圧がＳＥＧ電圧に比して大きく電圧降下や上昇を起こし、ＳＥＧ電圧とＣＯＭ電圧との電位差が想定された値より大きくなったり小さくなったりする。例えばＶ３＝１５Ｖ、Ｖ４＝２０Ｖとしたとき、その差は５Ｖであるが、実際には６〜７Ｖになってしまうことがある。
【００４１】
これは、白地に黒文字を表示する場合など、ほとんどのラインにおいて（４）のケース（ＳＥＧデータ＝“Ｌ”）となり、一部だけ（３）のケース（ＳＥＧデータ＝“Ｈ”）なる場合には、電圧降下分の電位差がＳＥＧデータ＝“Ｈ”のときにプラスされ、想定していた電位差以上の電圧が液晶に印加され、クロストークによる画面のチラツキとして表示品質に悪影響を及ぼす。
【００４２】
これに対処するために、本実施形態の液晶表示パネルでは、複数の液晶表示パネル１８ａ乃至１９ｃのうちいくつかに対して、パルス極性制御信号（ＦＲ）を反転して入力する。図１の構成では、レッド（Ｒ）、グリーン（Ｇ）及びブルー（Ｂ）の３つの液晶表示パネル１８ａ、１８ｂ、及び１８ｃのうち、パルス極性制御信号（ＦＲ）を反転したものとしていないものの静電容量の総和が近くなるように、静電容量の最も大きなブルー（Ｂ）の液晶表示パネル１８ｃに印加するコモンドライバ１９ｂ及びセグメントドライバ２０ｂにパルス極性制御信号（ＦＲ）をインバータ２２で反転させて入力する。
【００４３】
この場合のセグメント（ＳＥＧ）側とコモン（ＣＯＭ）側の電圧レベルを図４に（３ａ）及び（３ｂ）として示す。図４の（３ａ）のケースは（３）のケースに、（４ａ）のケースは（４）のケースに対応する。
【００４４】
図４において（３ａ）では、前半ではパルス極性制御信号（ＦＲ）が“Ｌ”、後半ではパルス極性制御信号（ＦＲ）が“Ｈ”となるので、ＣＯＭ電圧とＳＥＧ電圧は（３）のケースと逆になり、前半ではＣＯＭ電圧がＶ１でＳＥＧ電圧がＶ０、後半ではＣＯＭ電圧はＶ３、ＳＥＧ電圧はＶ４となる。また（４ａ）においても同様に、（４）のケースとは逆
になり、前半はＣＯＭ電圧はＶ１、ＳＥＧ電圧はＶ２となり、後半はＣＯＭ電圧はＶ３、ＳＥＧ電圧はＶ２となる。
【００４５】
よって本実施形態の液晶表示装置１では、３つの液晶表示パネル１８ａ、１８ｂ及び１８ｃにかかるＣＯＭ電圧は、（３）のケース及び（４）のケース共Ｖ１とＶ３に分散されるので、電圧降下を小さく抑えることができる。また印加電圧が安定するので、表示画面のちらつきを低減することができる。
【００４６】
また新たに制御信号を設ける必要が無く、パルス極性制御信号（ＦＲ）の一部にインバータを加えるだけの、簡単な構成で実現することができる。さらに各液晶表示パネル１８の同期を変更するのではなく、パルス極性制御信号（ＦＲ）のみを一部反転させるだけなので、色ずれが生じたりすることはない。また、複雑な制御も必要としない。
【００４７】
さらには、パルス極性制御信号（ＦＲ）の極性が変化したときに生じる電圧降下が小さいので、所望の電圧を液晶表示パネル１８に印加することができ、表示特性を向上させることが出来る。
【００４８】
なお上記例ではレッド（Ｒ）、グリーン（Ｇ）及びブルー（Ｂ）の３つの液晶表示パネル１８ａ、１８ｂ、及び１８ｃを重ねた構成で、ブルーの液晶表示パネル１８ｂのドライバ１９ｂ及び２０ｂに入力するパルス極性制御信号（ＦＲ）を反転させる構成を例として示したが、本実施形態の液晶表示装置１は、このような構成に限定されるものではない。
【００４９】
例えば、上記例では、ブルーの液晶表示パネル１８ｂのドライバ１９ｂ及び２０ｂへのパルス極性制御信号（ＦＲ）の入力を反転していたが、逆にレッド（Ｒ）及びグリーン（Ｇ）のドライバ１９ａと１９ｃ及び２０ａと２０ｃへのパルス極性制御信号（ＦＲ）の入力を反転させても良い。
【００５０】
また上記例ではレッド（Ｒ）、グリーン（Ｇ）及びブルー（Ｂ）の液晶表示パネル１８を用いていたが、他の色の液晶表示パネル１８を用いても良い。この場合、パルス極性制御信号を反転入力するものと反転入力しないものとは、それぞれ静電容量の和が近くなるように選択する。
【００５１】
また上記例では、液晶表示パネル１８を３枚備える構成であったが、液晶表示パネル１８の数は、２枚であっても、４枚以上であっても良い。この場合においても、パルス極性制御信号を反転入力するものと反転入力しないものとは、それぞれ静電容量の和が近くなるように選択する。
【図１】
2011064818.tif 000003
【図２Ａ】
2011064818.tif 000004
【図２Ｂ】
2011064818.tif 000005
【図３】
2011064818.tif 000006
【図４】
2011064818.tif 000007
【図５】
2011064818.tif 000008
【国際調査報告】
2011064818.tif 000009
2011064818.tif 000010
2011064818.tif 000011
2011064818.tif 000012
2011064818.tif 000013
2011064818.tif 000014
2011064818.tif 000015
2011064818.tif 000016